(57)【要約】【課題】天面および底面の四隅に折り畳み跡が残らず綺麗に仕上がる角型包装体を提供することを主要な目的とする。【解決手段】この考案に係る角型包装体は、角型被包装体３の天面５ａの上側及び底面５ｂの下側の双方に食み出るように、上記角型被包装体３の胴周囲に熱収縮性粘着テープ８を巻きつけ、これを熱収縮させることにより、上記天面５ａおよび底面５ｂのそれぞれの長辺、短辺及び４隅を熱収縮性粘着テープ８で被覆してなることを特徴とする。【選択図】図１
0003200706.tif 000002
【実用新案登録請求の範囲】
【請求項１】
角型被包装体の天面の上側及び底面の下側の双方に食み出るように、前記角型被包装体の胴周囲に熱収縮性粘着テープを巻きつけ、これを熱収縮させることにより、前記天面と前記底面のそれぞれの長辺、短辺及び４隅を熱収縮性粘着テープで被覆してなる角型包装体。
【請求項２】
前記角型被包装体は角型電池を含む請求項１に記載の角型包装体。
【考案の詳細な説明】
【技術分野】
【０００１】
本考案は、一般に角型包装体に関するものであり、より特定的には、天面と底面のそれぞれの四隅に、保護フィルムの切れ目、折り畳み跡が残らないように改良された角型包装体に関する。
【背景技術】
【０００２】
図３は、第１の従来例に係る粘着テープ巻きの角型電池を説明するための斜視図である。粘着テープロール１から粘着テープ２（非収縮品）を引き出し、角型電池３の胴周囲に一回り巻きつけて、保護フィルム４で被覆された被覆角型電池を作成する。しかし、この第１従来例では、角型電池の天面５ａ及び底面５ｂの被覆ができなかった。そのため、高温低温での長期使用環境下で、保護フィルム４が剥がれる可能性があった。
【０００３】
図４は、第２の従来例に係る粘着テープ巻きの角型電池を説明するための斜視図である。図４（Ａ）に示すように、粘着テープロール１から粘着テープ２（非収縮品）を引き出し、離型紙を取り、角型電池の天面５ａの上側及び底面５ｂの下側に食み出るように、該角型電池の胴周囲に粘着テープ２を巻きつける。その後図４（Ｂ）に示すように、４隅に切れ目６ａ、６ｂ、６ｃ、６ｄ、６ｅ、６ｆを入れ、図４（Ｃ）に示すように、天面５ａ及び底面５ｂのそれぞれの長辺及び短辺を被覆するように折り畳み、粘着させて、保護フィルム４で被覆された被覆角型電池を作成する。この方法では、高温／低温での長期使用環境下で、保護フィルム４が剥がれる可能性はないが、電池四隅に切れ目６ａ、６ｂ、６ｃ、６ｄ、６ｅ、６ｆと折り畳み跡７が残り、綺麗に仕上がらないという問題点があった。また、作業にも手間が掛かるという問題点があった。
【考案の概要】
【考案が解決しようとする課題】
【０００４】
この考案は上記のような問題点を解決するためになされたもので、保護フィルムが剥がれず、かつ角型包装体の天面及び底面の四隅に保護フィルムの切れ目、折り畳み跡が残らず、綺麗に仕上がる角型包装体を提供することを目的とする。
【０００５】
この考案の他の目的は、作業に手間の掛からない、角型包装体を提供することにある。
【課題を解決するための手段】
【０００６】
この考案に係る角型包装体は、角型被包装体の天面の上側及び底面の下側の双方に食み出るように、上記角型被包装体の胴周囲に熱収縮性粘着テープを巻きつけ、これを熱収縮させることにより、上記天面と上記底面のそれぞれの長辺、短辺及び４隅を熱収縮性粘着テープで被覆してなる。
【０００７】
角型包装体の天面と底面のそれぞれの長辺、短辺及び４隅を熱収縮性粘着テープで被覆することで、天面と底面のそれぞれの四隅は、内側に折り畳まれて熱収縮することにより、折り畳み跡が残らず綺麗に仕上がる。
【０００８】
この考案の好ましい実施態様によれば、上記角型被包装体は、角型電池を含む。
【０００９】
上記熱収縮性粘着テープは、一方の面に塗布された粘着性樹脂が剥離フィルムで保護された熱可塑性樹脂フィルムで形成され、該熱可塑性樹脂フィルムには、ポリエチレンテレフタレート系樹脂、ポリプロピレン系樹脂、ポリアミド樹脂が好ましく用いられる。特にポリエチレンテレフタレート系樹脂が好ましい。
【考案の効果】
【００１０】
本考案に係る角型包装体によれば、角型包装体の天面と底面のそれぞれの四隅には、保護フィルムの折り畳み跡が残らず綺麗に仕上がる。作業に手間が掛からない。高温／低温での長期使用環境下で、剥がれることはなく、また脱落することはない。
【図面の簡単な説明】
【００１１】
【図１】本考案の実施例１に係る角型包装体を説明する図である。
【図２】本考案の実施例２に係る角型包装体を説明する図である。
【図３】第１の従来例に係る角型包装体を説明する図である。
【図４】第２の従来例に係る角型包装体を説明する図である。
【考案を実施するための形態】
【００１２】
角型包装体の天面と底面のそれぞれ四隅に保護フィルムの切れ目、折り畳み跡を残さず、綺麗に仕上げるという目的を、角型被包装体の天面の上側と底面の下側の双方に食み出るように、上記角型被包装体の胴周囲に熱収縮性粘着テープを巻きつけ、これを熱収縮させることにより実現した。以下、本考案の実施例を、図を用いて説明する。なお、各図中、同一又は相当する部分には同一の参照番号を付し、その説明を繰り返さない。
【実施例１】
【００１３】
図１（Ａ）（Ｂ）を参照して、角型被包装体である角型電池３の天面５ａの上側及び底面５ｂの下側に食み出るように、該角型電池３の胴周囲に熱収縮性粘着テープ８を一回り巻きつける。これを図１（Ｃ）に示すように、熱収縮させると、天面５ａと底面５ｂのそれぞれの長辺、短辺及び胴周囲が、熱収縮性粘着テープで形成された保護フィルム４で被覆される。保護フィルム４は角型電池にしっかりと固定され、高温／低温での長期使用環境下で、剥がれることはなく、また脱落することはない。また、天面５ａと底面５ｂのそれぞれの四隅は、内側に折り畳まれて収縮するので、折り畳み跡が残らず綺麗に仕上がる。
【００１４】
なお、角形電池３が例えばアルカリ二次電池やリチウムイオン二次電池では、ケースは、金属からなり電極端子として機能する。ケースが正極端子を兼ねる場合には、たとえばアルミニウム合金で形成される。また、ケースが負極端子を兼ねる場合には、たとえば、表面にニッケルメッキを施したスチールで形成される。
【実施例２】
【００１５】
また実施例１では角型電池を個装する場合を例示したが、この考案はこれに限られるものでなく、角型電池を複数個まとめてパックする場合にも応用できる。すなわち、図２（Ａ）（Ｂ）を参照して、角型被包装体である複数個（実施例では２個）の角型電池３を並べ、複数個の角型電池３の天面５ａの上側及び底面５ｂの下側に食み出るように、これらの複数個の角型電池３を縛るように、２つ角型電池の集合体の胴周囲に熱収縮性粘着テープ８を巻きつける。これを図２（Ｃ）に示すように、熱収縮させると、天面５ａと底面５ｂのそれぞれの長辺、短辺及び胴周囲が、熱収縮性粘着テープで形成された保護フィルム４で被覆される。保護フィルム４は複数個の角型電池にしっかりと固定され、高温／低温での長期使用環境下で、剥がれることはなく、また脱落することはない。また、複数個並べられた角型電池の天面５ａと底面５ｂのそれぞれの四隅は、内側に折り畳まれて収縮するので、折り畳み跡が残らず綺麗に仕上がる。
【００１６】
なお、上記実施例では、被包装体として角型電池を例示したが、この考案はこれに限られるものでなく、角型の被包装体の全てに応用可能である。
【００１７】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００１８】
本考案に係る角型包装体によれば、保護フィルムは角型被包装体にしっかりと固定され、高温／低温での長期使用環境下で、剥がれることはなく、また脱落することはない。また、角型包装体の天面と底面のそれぞれ四隅には、保護フィルムの切れ目、折り畳み跡が残らず綺麗に仕上がる。
【符号の説明】
【００１９】
１   粘着テープロール
２   粘着テープ（非収縮品）
３   角型電池
４   保護フィルム
５ａ 天面
５ｂ 底面
６ａ、６ｂ、６ｃ、６ｄ、６ｅ、６ｆ    切れ目
７   折り畳み跡
８   熱収縮性粘着テープ
【図１】
0003200706.tif 000003
【図２】
0003200706.tif 000004
【図３】
0003200706.tif 000005
【図４】
0003200706.tif 000006